(57)【要約】      （修正有）【課題】管材の寸法及び設置状況に制約されず、特に各種生産ライン上の配管の洗浄を行うことができる配管洗浄装置を提供する。【解決手段】配管洗浄装置１００は、周波数の超音波を発生する振動子１０と、振動子が取り付けられ、振動子の振動を管材Ｐに伝達するように管材の外周面に着脱可能に装着される装着手段２０と、振動子を駆動する駆動信号を発生するための駆動手段３０とを備え、装着手段は、管材の外壁の一部に対応する円弧状凹部Ａ１、Ａ２を有する二つの取り付け金具２１、２２を備え、二つの取り付け金具の一方に振動子が設けられている。これにより、管材に簡単に取り付けることができると共に、管材を効率よく発振させることができる。特に、配管ラインに装着することができるため、既成の生産ラインにおいて、超音波を用いて配管の内面の洗浄、又は管内通過する液体に対して化学反応の促進、乳化、分散、殺菌等の処理を行うことができる。【選択図】図１
0003209679.tif 000002
【実用新案登録請求の範囲】
【請求項１】
超音波振動を用いて管材の壁面を洗浄する配管洗浄装置であって、
少なくとも１つの周波数の超音波を発生する振動子と、
少なくとも１つの前記振動子が取り付けられ、該振動子の振動を前記管材に伝達するように前記管材の外周面に着脱可能に装着される装着手段と、
前記振動子を駆動する駆動信号を発生するための駆動手段とを備え、
前記装着手段は、前記管材の外壁の一部に対応する円弧状凹部を有する二つの取り付け金具を備え、前記二つの取り付け金具のすくなくとも一方に振動子が設けられていることを特徴とする配管洗浄装置。
【請求項２】
前記装着手段の二つの取り付け金具には、それぞれ同じ周波数の振動子、又はそれぞれ異なる周波数の振動子を取り付けるように構成されていることを特徴とする請求項１に記載の配管洗浄装置。
【請求項３】
前記装着手段に取り付けられた振動子を覆うためのカバーを取り付ける取付手段を有し、前記取付手段は、カバーを螺合する雄ネジ部を設けて構成され、又は前記装着手段に貫通穴を設け、ネジで前記カバーを取り付けるように構成されていることを特徴とする請求項１または２に記載の配管洗浄装置。
【請求項４】
前記振動子は、振動を伝達するための振動ガイド部材を介して前記装着手段に取り付けられ、
前記振動ガイド部材は、前記振動子が発生する振動の振幅を１〜５倍、より好ましくは２〜４倍に増幅して伝達するように構成されていることを特徴とする請求項１から３のいずれか１項に記載の配管洗浄装置。
【考案の詳細な説明】
【技術分野】
【０００１】  本考案は、管材の壁面を振動させることにより管材内に搬送される液体（もしくは粉体）又は管材の外側の液体を振動させ、超音波振動を利用して配管洗浄装置に関する。
【背景技術】
【０００２】  従来、管材等の被洗浄体を洗浄する場合、被洗浄体を超音波洗浄槽中に入れて、洗浄槽の底面または側面から超音波を照射して洗浄を行うのが一般的である。【０００３】  また、被洗浄管を超音波洗浄槽内に設置し、被洗浄管内に洗浄液を循環させ、液体を介して被洗浄管の外部から超音波を照射する管内洗浄方法及び管内洗浄装置が提案されている（例えば、特許文献１）。
【先行技術文献】
【特許文献】
【０００４】
【特許文献１】特開平５−６８９５６号公報
【考案の概要】
【考案が解決しようとする課題】
【０００５】  しかしながら、従来の超音波洗浄槽を用いた洗浄方法では、管材等の外表面に付着した異物の剥離洗浄には有効であるが、管内面に付着した異物には不十分である。【０００６】  特許文献１に開示の管内洗浄装置は、被洗浄管内に洗浄液を循環させることで従来の超音波洗浄槽を用いた洗浄方法に比べて管内異物の除去率がある程度に改善されたが、超音波照射効率は改善されず、長い管材の場合、大きな超音波洗浄槽が必要となるため、コストが高くなるという問題点があった。【０００７】  また、上述した超音波洗浄方法では、管材等の寸法の制約があるので、長尺の管材、特に各種生産ライン上の配管の洗浄ができない。【０００８】  そこで、本考案は、管材の寸法及び設置状況に制約されず、特に各種生産ライン上の配管の洗浄を行うことができる配管洗浄装置を提供する。
【課題を解決するための手段】
【０００９】  上記課題を解決するため、本考案に係る配管洗浄装置は、超音波振動を用いて管材の壁面を洗浄する配管洗浄装置であって、少なくとも１つの周波数の超音波を発生する振動子と、少なくとも１つの振動子が取り付けられ、振動子の振動を管材に伝達するように管材の外周面に着脱可能に装着される装着手段と、振動子を駆動する駆動信号を発生するための駆動手段とを備え、装着手段は、管材の外壁の一部に対応する円弧状凹部を有する二つの取り付け金具を備え、二つの取り付け金具のすくなくとも一方に振動子が設けられている。これにより、管材に簡単に取り付けることができると共に、管材を効率よく発振させることができる。特に、配管ラインに装着することができるため、既成の生産ラインにおいて、超音波を用いて配管の内面（又は外面）の洗浄、又は管内通過する液体に対して化学反応の促進、乳化、分散、殺菌等の処理を行うことができる。また、超音波振動により管材内面に異物の付着、及び沈殿物の堆積による管内詰まりを防止することができる。【００１０】  例えば、装着手段の二つの取り付け金具には、それぞれ同じ周波数の振動子、又はそれぞれ異なる周波数の振動子を取り付けるように構成されている。これにより、より強い超音波振動を得ることができ、また、より強い超音波振動を得ることができると共に、異なる周波数の超音波で管材内に搬送される液体を振動させ、配管の洗浄を行うことができる。【００１１】  また例えば、装着手段に取り付けられた振動子を覆うためのカバーを取り付ける取付手段を有し、取付手段は、カバーを螺合する雄ネジ部を設けて構成され、又は装着手段に貫通穴を設け、ネジで前記カバーを取り付けるように構成されている。これにより、簡単な構成で振動子を覆うことができ、感電等の事故を防止することができる。【００１２】  また例えば、振動子は、振動を伝達するための振動ガイド部材を介して取付具に取り付けられ、振動ガイド部材は、振動子が発生する振動の振幅を１〜５倍に増幅して伝達するように構成されている。これにより、必要に応じて振動系の共振周波数及び管材へ伝達させる振幅を変更させることが可能となる。
【考案の効果】
【００１３】  本考案によれば、配管洗浄装置は、少なくとも１つの周波数の超音波を発生する振動子と、少なくとも１つの振動子が取り付けられ、振動子の振動を管材に伝達するように管材の外周面に着脱可能に装着される装着手段と、振動子を駆動する駆動信号を発生するための駆動手段とを備え、装着手段は、管材の外壁の一部に対応する円弧状凹部を有する二つの取り付け金具を備え、二つの取り付け金具のすくなくとも一方に振動子が設けられていることで、管材の寸法及び設置状況に制約されず、各種管材の洗浄、特に各種生産ライン上の配管の洗浄を行うことができ、また、超音波振動により管材内面に異物の付着、及び沈殿物の堆積による管内詰まりを防止することができる。
【図面の簡単な説明】
【００１４】
【図１】本考案の第１の実施形態の配管洗浄装置の構成を示す斜視図である。
【図２】本考案の第２の実施形態の配管洗浄装置の構成を示す図である。
【図３】本考案の第３の実施形態の配管洗浄装置の構成を示す斜視図である。
【図４】本発明の第４の実施形態の配管洗浄装置の構成を示す図である。
【図５】本考案の第５の実施形態の配管洗浄装置の構成を示す図である。
【考案を実施するための形態】
【００１５】  以下、本考案に係る配管洗浄装置を実施するための形態を、図を参照して説明する。
図１は、本考案の第１の実施形態の配管洗浄装置１００の構成を示す図である。本実施形態における配管洗浄装置１００は、振動子１０と、装着手段２０と、駆動手段３０と、振動ガイド部材４０とを備えている。振動子１０は装着手段２０を介して管材Ｐに装着されている。
【００１６】  振動子１０は、所定周波数（例えば、２０ｋＨｚ、３０ｋＨｚ又は４０ｋＨｚ）の基本振動、又はその近くの周波数の振動を発生することができるランジュバン型超音波振動子である。この振動子１０の振動出力端には、装着手段２０又は振動ガイド部材４０に取り付けるための取り付け用ネジ穴が設けられている。振動子１０は駆動手段３０に電気的に接続される。
【００１７】  装着手段２０は、管材の外壁の一部に対応する円弧状凹部を有する二つの取り付け金具２１、２２を備えている。取り付け金具２１、２２は、管材Ｐの外壁に円弧状凹部Ａ１、Ａ２を対向して配置され、ネジで着脱可能に固着されている。取り付け金具２１、２２のすくなくとも一方に振動子１０又は振動ガイド部材４０を取り付けるためのネジ又はネジ穴が設けられている。
【００１８】  駆動手段３０は、振動子１０を駆動する所定の周波数範囲の駆動信号を発生するためのものである。駆動手段３０は、所定の周波数範囲（例えば、１９〜２１ｋＨｚ、１９〜２６ｋＨｚ、２８〜３２ｋＨｚ、３８〜４２ｋＨｚ、又は１９〜６０ｋＨｚ）において周波数走査を行い、振動子１０と装着手段２０と管材Ｐとを含む振動系の共振周波数又はその近くの周波数を検出し、検出した共振周波数又はその近くの周波数の駆動信号を発生し振動子１０を駆動するように制御する制御手段と、周波数走査のスタート周波数を調整するスタート周波数調整手段とを有している。また、駆動手段３０は、振動子１０へ電力を供給するための複数の出力回路と、この複数の出力回路のうちいずれかを振動子１０と接続させる回路切り替え手段とを有している。装着手段２０と管材Ｐとを含む振動系に応じて、回路切り替え手段で振動系に整合した最適な出力回路に切り替えることができる。
【００１９】  振動ガイド部材４０は、振動子１０と装着手段２０との間に装着され、振動子１０から発生した振動を装着手段２０及び管材Ｐに伝達するものである。この振動ガイド部材４０は、振動子１０から発生した振動を、例えば１〜５倍、より好ましくは２〜４倍に増幅して伝達装着手段２０及び管材Ｐに伝達するように構成されている。より大きな振幅を得るために、振動の入力端の面積と出力端の面積が異なる超音波振動を伝達するホーンを用いることができる。なお、振動ガイド部材４０には、冷却用の冷却水ジャケットを設けてもよい。
【００２０】  図２は、本考案の第２の実施形態の配管洗浄装置１００Ａの構成を示す図である。図２に示すように、配管洗浄装置１００Ａは、振動子１０と、装着手段２０Ａと、駆動手段３０と、振動ガイド部材４０とを備えている。振動子１０は装着手段２０Ａを介して管材Ｐに装着されている。この配管洗浄装置１００Ａにおいて、振動子１０、駆動手段３０、及び振動ガイド部材４０は、配管洗浄装置１００と同様な構成を有する。詳細な説明を省略する。
【００２１】  装着手段２０Ａは、管材Ｐの外壁の一部に対応する円弧状凹部Ａ１、Ａ２を有する二つの取り付け金具２１Ａ、２２Ａを備えている。取り付け金具２１Ａ、２２Ａは、管材Ｐの外壁に凹部を対向して配置され、ネジ等の締結具によって締め付け、管材Ｐに着脱可能に固着されている。取り付け金具２１Ａ、２２Ａのすくなくとも一方に振動子１０又は振動ガイド部材４０を取り付けるためのネジ又はネジ穴が設けられている。また、装着手段２０Ａは、円弧状凹部Ａ１、Ａ２の外側（両側）にそれぞれ小さい円弧状凹部Ｂ１、Ｂ２が設けられる。これにより、管材Ｐへの振動伝達効率を向上することができる。
【００２２】  上述した実施形態において、装着手段２０又は２０Ａは、管材Ｐの直管部に装着するものであるが、本考案はこれに限定されるものではない。配管の接続部又は湾曲部、例えば、ジョイント部、エルボ部、バルブ部等の形状に対応する装着手段を用いて振動子を装着するようにしてもよい。図３は、本考案の第３の実施形態の配管洗浄装置１００Ｂの構成を示している。配管洗浄装置１００Ｂにおいて、装着手段２０Ｂは、配管のエルボ部に装着するものである。これにより、配管ラインにおける管材内面に異物の付着、及び沈殿物の堆積による管内詰まりやすい箇所に対して重点的に超音波振動を与えて、配管内面の洗浄等の効果を向上させることが可能である。
【００２３】  上述したように実施の形態においては、配管洗浄装置１００（１００Ａ、１００Ｂ）において、振動子１０と、装着手段２０（２０Ａ、２０Ｂ）と、駆動手段３０と、振動ガイド部材４０とを備えている。振動子１０は装着手段２０（２０Ａ、２０Ｂ）を介して管材Ｐに装着されている。駆動手段３０からの電気信号は振動子１０を駆動し、機械振動に変換され、装着手段２０（２０Ａ、２０Ｂ）を振動させる。
【００２４】  これにより、管材Ｐに簡単に取り付けることができると共に、管材Ｐを効率よく発振させ、管内の液体においてキャビテーションを発生させることができる。特に、配管ラインに装着することができるため、既成の生産ラインにおいて、超音波を用いて配管の内面又は外面の洗浄、又は管内通過する液体に対して化学反応の促進、乳化、分散、殺菌等の処理を行うことができる。また、超音波振動により管材内面に異物の付着、及び沈殿物の堆積による管内詰まりを防止することができる。
【００２５】  また、駆動手段３０は、所定の周波数範囲において周波数走査を行い、振動子１０と装着手段２０と管材Ｐとを含む振動系の共振周波数又はその近くの周波数を検出し、検出した共振周波数又はその近くの周波数の駆動信号を発生し振動子１０を駆動するように制御する制御手段と、周波数走査のスタート周波数を調整するスタート周波数調整手段とを有していることで、各種の管材、及び配管ラインに対応することができ、効率よく振動させることができる。
【００２６】  また、振動子１０は、振動を伝達するための振動ガイド部材４０を介して装着手段２０（２０Ａ、２０Ｂ）に取り付けられ、振動ガイド部材４０は、振動子１０が発生する振動の振幅を１〜５倍に増幅して伝達するように構成されていることで、必要に応じて振動系の共振周波数及び管材へ伝達させる振幅を変更させることができる。
【００２７】  図４は、本考案の第４の実施形態の配管洗浄装置１００Ｃの構成を示している。図４に示すように、配管洗浄装置１００Ｃは、振動子１０Ｃと、装着手段２０Ｃと、駆動手段３０Ｃとを備えている。振動子１０Ｃは装着手段２０Ｃを介して管材Ｐに装着されている。
【００２８】  振動子１０Ｃは、所定周波数（例えば、２０ｋＨｚ、２５ｋＨｚ、２８ｋＨｚ、３０ｋＨｚ、４０ｋＨｚ又は８０ｋＨｚ等）の基本振動、又はその近くの周波数の振動を発生することができるランジュバン型超音波振動子（例えば、超音波洗浄機用振動子）である。この振動子１０Ｃは、振動出力端に装着手段２０Ｃに取り付けるための取り付け用ネジ穴が設けられており、取付ネジ及び接着剤（又は接着剤のみ）により装着手段２０Ｃに取り付けられている。また、振動子１０Ｃは駆動手段３０Ｃに電気的に接続される。
【００２９】  装着手段２０Ｃは、管材Ｐの外壁の一部に対応する円弧状凹部を有する二つの取り付け金具２１Ｃ、２２Ｃを備えている。取り付け金具２１Ｃ、２２Ｃは、管材Ｐの外壁に円弧状凹部Ｃ１、Ｃ２を対向して配置され、ネジで着脱可能に固着されている。取り付け金具２１Ｃ、２２Ｃのすくなくとも一方に振動子１０Ｃを取り付けるためのネジ又はネジ穴が設けられている。また、取り付け金具２１Ｃ、２２Ｃの円弧状凹部Ｃ１、Ｃ２と振動子１０Ｃの装着面間の最小厚さＴは、１〜６ｍｍであることが好ましい。より好ましくは、２〜４ｍｍである。この最小厚さは、１ｍｍより少ない場合は、装着手段２０Ｃの強度が弱く、装着する際に振動子１０Ｃの装着面が変形し振動の伝わりに影響する。一方、６ｍｍより厚い場合は、振動の伝わりが悪くなる。さらに、装着手段２０Ｃに取り付けられた振動子１０Ｃを覆うためのカバーを取り付ける取付手段２３Ｃを有する。取付手段２３Ｃとして、カバーを螺合する雄ネジ部を設けてもよい。又は、装着手段２０Ｃに貫通穴を設け、ネジでカバーを取り付けるようにしてもよい。なお、円弧状凹部Ｃ１、Ｃ２の外側（両側）にそれぞれ小さい円弧状凹部（又はスリット、切り欠き部）を設けてもよい。これにより、管材Ｐへの振動伝達効率を向上することができる。なお、振動子１０Ｃを覆うためのカバーに振動子を冷却するための冷却ファンを設けてもよい。
【００３０】  駆動手段３０Ｃは、振動子１０Ｃを駆動する所定の周波数範囲において駆動信号を発生することができるものである。駆動手段３０Ｃは、制御手段と、出力回路とを備えており、所定の周波数範囲（例えば、１９〜２１ｋＨｚ、２３〜２６ｋＨｚ、２７〜２９ｋＨｚ、２８〜３２ｋＨｚ、３８〜４２ｋＨｚ、７８〜８２ｋＨｚ又は１９〜４５ｋＨｚ）の駆動信号を発生することができる。制御手段は、出力回路に接続された振動子１０Ｃ、装着手段２０Ｃ及び管材Ｐを含む振動系に応じて、例えば振動系のインピーダンス等に基づいて、所定の周波数範囲において、該振動系の共振周波数又はその近くの周波数の駆動信号、即ち、振動系に整合した最適な駆動信号を発生するように発振回路を制御し、振動子１０Ｃを駆動するように構成されている。
【００３１】  なお、図５に示すように、装着手段２０Ｃの取り付け金具２１Ｃ、２２Ｃにそれぞれ同じ周波数の振動子１０Ｃを取り付けるようにしてもよい。図５は、本考案の第５の実施形態の配管洗浄装置１００Ｄの構成を示している。この場合、より強い超音波振動を得ることができる。また、取り付け金具２１Ｃ、２２Ｃにそれぞれ異なる周波数の振動子１０Ｃを取り付けるようにしてもよい。この場合、より強い超音波振動を得ることができると共に、異なる周波数の超音波で管材内に搬送される液体（もしくは粉体）を振動させ、配管の洗浄、液体の混合、分散、及び反応促進等の処理を行うことができる。
【００３２】  また、管材Ｐと装着手段２０（２０Ａ、２０Ｂ、２０Ｃ）との間に所定厚さの炭素繊維シート等の繊維層、又は樹脂層（又は樹脂シート）を介在させるようにしてもよい。例えば、管材Ｐと装着手段２０（２０Ａ、２０Ｂ、２０Ｃ）との間にフッ素樹脂シートを配置すること、又は装着手段２０（２０Ａ、２０Ｂ、２０Ｃ）の凹部表面にフッ素樹脂をコーテイングすることにより管材Ｐと装着手段２０（２０Ａ、２０Ｂ、２０Ｃ）とは直接接触することがなく、管材Ｐと装着手段２０（２０Ａ、２０Ｂ、２０Ｃ）と間の摩擦による傷の発生を防止することができる。
【００３３】  また、上述した実施の形態においては、管材Ｐは断面が円形の管材の例を説明したが、本発明はこれに限定されるものではない。断面が非円形の管材も本考案を適用できる。なお、振動子１０Ｃは、複数の周波数の振動を発生することができるものを用いてもよい。この場合、必要に応じて所望の超音波の周波数を発生させることができる。
【００３４】  また、管材Ｐの長さ方向に所定間隔で複数の装着手段２０（２０Ａ、２０Ｂ、２０Ｃ）を配置するようにしてもよい。この場合、複数の装着手段２０にそれぞれ同じ周波数（又は異なる周波数）の振動子１０を取り付けることで、より広い範囲で発振させることができ、超音波処理を行うことができる。また、異なる周波数の振動子を取り付ける場合は、必要に応じて異なる位置に異なる周波数の振動を与えることが可能である。例えば、液体の混合・分散処理において、上流側に比較的に低い周波数を用いて粗い混合・分散をし、下流側に高い周波数を用いて細かい混合・分散をすることができる。
【００３５】  さらに、上述した実施の形態において、装着手段２０、２０Ａ、２０Ｂ又は２０Ｃは、ネジ等の締結具によって締め付ける構成を説明したが、本考案はこれに限定されるものではない。例えば、ネジを用いずに、２つの金属製ステーをピボット（軸）で結合し、自由に開閉できる構造で、管材Ｐ外周の対向する方向から挟むような構成にしてもよい。
【産業上の利用可能性】
【００３６】  この考案は、超音波を用いて配管の内面又は外面の洗浄、又は管内通過する液体に対して化学反応の促進、乳化、分散、殺菌等の処理を行う目的、及び超音波振動により管材内面に異物の付着、及び沈殿物の堆積による管内詰まりを防止する目的に利用できる。
【符号の説明】
【００３７】１０、１０Ｃ  振動子
２０、２０Ａ、２０Ｂ、２０Ｃ  装着手段
２１、２１Ａ、２１Ｂ、２１Ｃ、２２、２２Ａ、２２Ｂ、２２Ｃ  取り付け金具
３０、３０Ｃ  駆動手段
４０  振動ガイド部材
１００、１００Ａ、１００Ｂ、１００Ｃ、１００Ｄ  配管洗浄装置
【図１】
0003209679.tif 000003
【図２】
0003209679.tif 000004
【図３】
0003209679.tif 000005
【図４】
0003209679.tif 000006
【図５】
0003209679.tif 000007
【手続補正書】
【提出日】平成29年1月15日(2017.1.15)
【手続補正１】
【補正対象書類名】実用新案登録請求の範囲
【補正対象項目名】全文
【補正方法】変更
【補正の内容】
【実用新案登録請求の範囲】
【請求項１】
超音波振動を用いて管材の壁面を洗浄する配管洗浄装置であって、
少なくとも１つの周波数の超音波を発生する振動子と、
少なくとも１つの前記振動子が取り付けられ、該振動子の振動を前記管材に伝達するように前記管材の外周面に着脱可能に装着される装着手段と、
前記振動子を駆動する駆動信号を発生するための駆動手段とを備え、
前記装着手段は、前記管材の外壁の一部に対応する円弧状凹部を有する二つの取り付け金具を備え、前記二つの取り付け金具のすくなくとも一方に振動子が設けられていることを特徴とする配管洗浄装置。
【請求項２】
前記装着手段の二つの取り付け金具には、それぞれ同じ周波数の振動子、又はそれぞれ異なる周波数の振動子を取り付けるように構成されていることを特徴とする請求項１に記載の配管洗浄装置。
【請求項３】
前記装着手段に取り付けられた振動子を覆うためのカバーを取り付ける取付手段を有し、前記取付手段は、カバーを螺合する雄ネジ部を設けて構成され、又は前記装着手段に貫通穴を設け、ネジで前記カバーを取り付けるように構成されていることを特徴とする請求項１または２に記載の配管洗浄装置。
【請求項４】
前記振動子は、振動を伝達するための振動ガイド部材を介して前記装着手段に取り付けられていることを特徴とする請求項１から３のいずれか１項に記載の配管洗浄装置。